【手続補正書】
【提出日】平成19年3月20日(2007.3.20)
【手続補正１】
【補正対象書類名】明細書
【補正対象項目名】特許請求の範囲
【補正方法】変更
【補正の内容】
【特許請求の範囲】
【請求項１】
オーディオ複合器（５２）のそれぞれがオーディオ信号を受信し、前記のオーディオ信号を複合オーディオ信号（５５）に組み合わせるように構成された複数のオーディオ複合器（５２）と、
信号変調器（６１）のそれぞれが、ビデオ信号および前記の複合オーディオ信号（５５）を前記オーディオ複合器（５２）の１つから受信し、かつ前記の受信したビデオ信号および複合オーディオ信号（５５）を変調信号に組み合わせて変調するように構成された複数の信号変調器（６１）と、
前記の信号変調器（６１）からの変調信号を受信し、前記の変調信号を単一複合信号（７１）に組み合わせるように構成された信号複合器（６７）が、さらに前記の単一複合信号（７１）を送信するように構成された信号複合器（６７）と、
から構成されるシステム（２０）。
【請求項２】
レシーバ（７５）のそれぞれが、前記単一複合信号（７１）を受信し、ユーザから入力を受信し、前記の入力に基づいて前記ビデオ信号の少なくとも１つおよび前記複合信号の１つを選択し、前記ディスプレイ（１０１）で前記１つのビデオ信号を伝え、前記スピーカ（１０３）からの前記１つのオーディオ信号に基づいて音響を作成するように構成された、スピーカ（１０３）およびディスプレイ（１０１）を有する複数の携帯型レシーバ（７５）と、
からさらに構成される請求項１のシステム（２０）。
【請求項３】
上記のそれぞれのレシーバ（７５）が上記の１つのビデオ信号を伝える頭部装着ディスプレイを備えた請求項２のシステム（２０）。
【請求項４】
複合信号を受信し、前記複合信号から第１のオーディオ信号を分離し、前記複合信号から第１のビデオ信号を分離し、前記オーディオ複合器（５２）の１つに前記第１のオーディオ信号を送信し、前記信号変調器（６１）の１つに前記第１のビデオ信号を送信するように構成された信号分離器と、
からさらに構成される請求項２のシステム（２０）。
【請求項５】
行事に関連する複数のオーディオ信号を受信し、
行事に関連する複数のビデオ信号を受信し、
複数の複合信号を形成するように前記オーディオ信号とビデオ信号を組み合わせ、前記の複合信号は前記のビデオおよびオーディオ信号の種々の組み合わせを表わし、
行事の中の、または行事の周辺の任意の所望される場所に、ユーザとともに持ち歩かれる携帯型レシーバ７５に前記複合信号を送信し、
該携帯型レシーバ（７５）で前記複合信号を受信し、
ユーザから該携帯型レシーバ（７５）への入力を受信し、
前記ユーザからの前記入力に基づいて前記の複合信号の１つを、該携帯型レシーバ（７５）で選択し、
該行事に伴い、前記の選択ステップに基づき、前記の複数の複合信号に含まれている少なくとも１つのビデオ信号を、該携帯型レシーバ（７５）のディスプレイ（１０１）で表示し、
該行事に伴い、前記の選択ステップに基づき、前記の複数の複合信号に含まれている少なくとも１つのオーディオ信号によって示される音響を、携帯型レシーバ（７５）のスピーカ（１０３）で作成する
ステップから構成される方法。
【請求項６】
頭部装着ディスプレイ（１５）を介して前記表示するステップを実行するステップからさらに構成される請求項５の方法。
【請求項７】
上記のオーディオ信号の少なくとも１つが超高周波（ＵＨＦ）ラジオから送信される請求項５の方法。
【請求項８】
上記の複数のオーディオ信号が音響を示す第１のオーディオ信号および上記の音響を示す第２のオーディオ信号を含み、上記の第１のオーディオ信号は上記の複合信号の一つに含まれ、上記の第２のオーディオ信号は上記の複合信号の別の一つに含まれる請求項５の方法。
【請求項９】
上記の複数のビデオ信号が画像を示す第１のビデオ信号および上記の画像を示す第２のビデオ信号を含み、上記の第１のビデオ信号は上記の複合信号の一つに含まれ、上記の第２のビデオ信号は上記の複合信号の別の一つに含まれる請求項５の方法。
【請求項１０】
スタジアムでの行事に参加するユーザに前記携帯型レシーバ（７５）を提供し、該行事が終了した後に前記ユーザから前記携帯型レシーバ（７５）を回収することとをさらに備える請求項５の方法。
【請求項１１】
複数のオーディオ信号を受信する該ステップが、前記行事に関連する少なくとも一つのオーディオ信号を受信することをさらに備え、複数のビデオ信号を受信する該ステップが、前記行事に関連する少なくとも１つのビデオ信号を受信することをさらに備える請求項１０の方法。
【請求項１２】
前記複数の複合信号のそれぞれが、前記オーディオ信号の少なくとも１つおよび前記ビデオ信号の少なくとも１つを含む請求項１１の方法。
【請求項１３】
上記のオーディオ信号の１つがラジオ局から送信される請求項１１の方法。
【請求項１４】
上記のオーディオ信号の１つが上記の行事に配置された超高周波（ＵＨＦ）ラジオから送信される請求項１１の方法。
【請求項１５】
上記の行事がスポーツ行事またはオートレースである請求項１１の方法。
【請求項１６】
さらに、上記の使用者からの支払いを請求するステップから構成される請求項１１の方法。
【請求項１７】
該単一複合信号（７１）が無線送信機によって送信される請求項１のシステム（２０）。
【請求項１８】
該ビデオ信号およびオーディオ信号がユーザがライブで参加するスタジアムでの行事に関連し、
スタジアムの座席にいる間にユーザが持ち運んでいる、あるいは該行事に出席する間に該スタジアムの中、または回りの任意の所望の位置まで持ち運んでよい携帯型レシーバ（７５）と、
からさらに構成される請求項１に記載のシステム（１）。
【請求項１９】
該ビデオ信号の少なくとも２つが行事の種々の表示に関連するシステムであって、
該行事にライブで参加している間にユーザが持ち運ぶ携帯型レシーバ（７５）は、該ビデオ信号の選択された１つと関連する画像を表示するディスプレイ（１０１）を有し、該ユーザが該ビデオ信号の１つを選択するために該携帯型レシーバに入力を提供する携帯型デバイスと、
からさらに構成される請求項１に記載のシステム（２０）。
【請求項２０】
行事を、該行事にライブで参加している間に見るための方法であって、
行事の間に行事で携帯型レシーバおよび携帯型ディスプレイを使用し、
複合ビデオ信号を形成するように複数のビデオ信号を組み合わせ、前記ビデオ信号の少なくとも２つが該行事の種々の表示を示し、
該行事での前記携帯型レシーバに前記複合ビデオ信号を無線で送信し、
前記携帯型レシーバで、前記ビデオ信号の１つを選択し、前記携帯型ディスプレイを介して前記選択ステップで選択された前記ビデオ信号により示される画像を表示すること、
から構成される方法。
【請求項２１】
前記複合ビデオ信号を、前記携帯型レシーバで、一意の周波数範囲に基づいて個々のビデオ信号に分離することとをさらに備える請求項２０の方法。
【請求項２２】
観客が前記携帯型レシーバおよび携帯型ディスプレイを持ち運び、該観客が該行事での前記画像をどこで見ることを希望するのかを選ぶ請求項２０の方法。
【請求項２３】
複合オーディオ信号を形成するために、該行事と関連する複数のオーディオ信号を組み合わせ、
スピーカを有する該携帯型レシーバに前記複合オーディオ信号信号を無線で送信し、
該携帯型レシーバの該スピーカで、前記複数のオーディオ信号から選択されるオーディオ信号を再生すること
からさらに構成される請求項２０の方法。
【請求項２４】
該複合オーディオ信号が該複合ビデオ信号とは別個に送信される請求項２０の方法。
【請求項２５】
前記複合ビデオ信号が該行事に関連する第１のビデオ信号と第２のビデオ信号を含み、前記複合オーディオ信号が該行事に関連する第１のオーディオ信号と第２のオーディオ信号とを含み、該第１と第２のオーディオ信号とビデオ信号が種々の周波数上を送信される請求項２０の方法。
【請求項２６】
該行事がカーレースであり、前記複合オーディオ信号がドライバーとドライバーのピットクルーの間の対話を含む請求項２０の方法。
【請求項２７】
該行事がカーレースであり、該観客によって選択された該ビデオ信号が所望される車内の表示である請求項２０の方法。
【請求項２８】
該複合オーディオ信号および複合ビデオ信号が共通送信機から無線で送信される請求項２０に記載の方法。
【請求項２９】
該ビデオ信号として複製される該行事の種々の表示を取得するために該行事で複数のカメラを配置することからさらに構成される請求項２０に記載の方法。
【請求項３０】
行事で、該行事にライブで参加している間に使用される携帯型無線携帯端末であって、
前記レシーバに無線で送信される、前記行事で複数のカメラで作成されるビデオコンテンツを受信するように構成されるレシーバと、
前記ビデオ信号を表示するように構成されたディスプレイと、
前記レシーバが、行事に出席している間に前記ビデオ信号を受信するように構成され、該行事が行われている場合、それによって該ユーザが該行事について前記レシーバを持ち運び、前記選択したビデオ信号をどこで表示するのかを選ぶことができる前記ディスプレイ上でユーザによって表示するために前記複数のカメラの少なくとも１台から前記ビデオ信号の少なくとも１つを選択するためのユーザインタフェースと、
から構成される携帯型無線携帯端末。
【請求項３１】
前記行事がスタジアムで行われ、前記携帯端末が前記スタジアムで動作するように構成された請求項３０の携帯型無線携帯端末。
【請求項３２】
前記レシーバにより、該ユーザが、前記ディスプレイが前記ビデオ信号によって示されるディスプレイ画像を間欠に表示する間に該行事から離れてローミングできるようにする請求項３０の携帯型無線携帯端末。
【請求項３３】
該レシーバが前記レシーバに無線で送信されるオーディオコンテンツを受信するように構成され、前記オーディオコンテンツが該行事と関連し、該デバイスが、該ユーザインタフェースで選択される選択されたオーディオコンテンツを再生するためにスピーカからさらに構成される請求項３０の携帯型無線携帯端末。
【請求項３４】
行事にライブで参加している間に行事で使用される携帯型ビデオデバイスを提供するための方法であって、
第１の行事に参加している間ユーザに携帯型ビデオデバイスを提供し、該ビデオデバイスが該第１の行事で配置されているカメラからビデオコンテンツを無線で受信し、該ビデオコンテンツが該第１の行事と関連し、該携帯型ビデオデバイスが、該第１の行事に参加している間に該ビデオコンテンツを選択的に表示するように構成され、それによって該ユーザが該第１の行事について該携帯型ビデオデバイスを持ち運び、該第１の行事の間に該第１の行事でローミングする間に該ユーザによって選択される該ビデオコンテンツをどこで見るのかを選ぶことができるようにし、
該第１の行事の後に該ユーザから該ビデオデバイスを回収し、
第２の行事の間、ユーザに携帯型ビデオデバイスを提供し、該ビデオデバイスが該第２の行事で配置されるカメラからビデオコンテンツを無線で受信し、該ビデオコンテンツが該第２の行事と関連し、該携帯ビデオデバイスが、該第２の行事の間に該ビデオコンテンツを選択的に表示するように構成され、それによって該ユーザが該第２の行事について該携帯型ビデオデバイスを持ち運び、該第２の行事の間に該第２の行事でローミングしている間に該ユーザによって選択される該ビデオコンテンツをどこで見るのかを選ぶことができるようにすること
から構成される方法。
【請求項３５】
該第１の行事の、それぞれ第１の表示と第２の表示と関連するビデオ信号を伝達する少なくとも第１のチャネルと第２のチャネルとを含む複数のチャネルの上で該ビデオコンテンツを送信することからさらに構成される請求項３４の方法。
【請求項３６】
該提供する動作が、該携帯型ビデオデバイスをスポーツ行事で提供することを含む請求項３４の方法。
【請求項３７】
携帯型オーディオ／ビデオデバイスを形成するために該携帯型ビデオデバイスにオーディオ機能を提供し、該第１の行事に参加している間に該第１の行事に関連するオーディオコンテンツを無線で受信するように該携帯型オーディオ／ビデオデバイスを構成し、それによって該ユーザが該第１の行事について該携帯型オーディオ／ビデオデバイスを持ち運び、該第１の行事の間に該第１の行事でローミングする間に該ユーザによって選択される該オーディオコンテンツをどこで傾聴するのかを選ぶことができることからさらに構成される請求項３４に記載の方法。
【請求項３８】
該提供する動作が、種々のユーザに共通の携帯型ビデオデバイスを提供し、使用量を請求することを含む請求項３４に記載の方法。